(57)【特許請求の範囲】
【請求項１】
塗布液の直線状の送出路と、該送出路先端に開口する吐出口と、該吐出口周囲に該送出路と略直交する平面部と、該吐出口から更に先方へ伸びる複数本の櫛歯からなる塗布部と、を備え、
該塗布液は、粘度が、コーンプレート型粘度計（ＥＨＤ）標準コーンローター（１°３４′×Ｒ２４）２５℃１０ｒｐｍ（２０ｓ−１）の測定において、２０００〜２００００ｍＰａ・ｓの範囲の塗布液又はフォームであり、
該複数本の櫛歯は、該送出路より該吐出口に至る線と、平行又は遠ざかる線に沿って延び、
更に内側へ屈曲し該平面部と対向しており、該粘度が２０００〜２００００ｍＰａ・ｓの範囲の塗布液又はフォームが当該櫛歯の屈曲した内側に直接保持されることを特徴とする毛髪用塗布具。
【請求項２】
前記櫛歯は更に前記吐出口方向へ屈曲していることを特徴とする請求項１に記載の毛髪用塗布具。
【請求項３】
前記櫛歯は更に吐出口近傍まで伸びループしていることを特徴とする請求項２に記載の毛髪用塗布具。
【請求項４】
前記櫛歯は、前記ループの外周に突起物を備え、当該突起物は、前方から見た前記ループの長さ内に形成されていることを特徴とする請求項３に記載の毛髪用塗布具。
【請求項５】
前記櫛歯には、前記櫛歯の幅をはみ出さない突起物を備えることを特徴とする請求項１から４のうちの何れか一項に記載の毛髪用塗布具。
【発明の詳細な説明】
【技術分野】
【０００１】
本発明は、毛染め容器等に収容された毛髪用化粧料を毛髪に塗布可能な塗布具に関する。
【背景技術】
【０００２】
従来、毛染め容器には、液を含浸したフェルトなどの塗布体が直接頭皮に触れることを防ぐための部品を設けることが、種々に提案されている。
【０００３】
例えば特許文献１には、液を含んだフェルトなどの塗布体の周囲に櫛状の部品を設け、その櫛状部品の先端を頭皮に接しさせることにより、塗布体から直接頭皮に液が付くことを防ぎ、毛髪のみに液を塗布可能にする髪用塗布具付の化粧料容器が記載されている。
【０００４】
また、特許文献２には、液を含んだ塗布体(液供給部)の周囲にアーチ形状の棒状の部品を設け、かつ、その先端部分にアーチ状部品の径より大きい球状部分を形成した毛染め容器が記載されている。この毛染め容器は、アーチ状部品と球状部分を頭皮に接しさせることにより、塗布体が直接頭皮に接して液が付くことを防ぎながら、毛髪に液を塗布可能にする容器である。
【０００５】
これら特許文献１、２に記載の化粧料容器は、塗布液をフェルトに滲みこませて塗布する極めて低粘度の液体を使用しており、フェルト等の含浸体がないと内溶液が垂れ落ちてしまい使用することができないものである。
【０００６】
また、これらは、フェルトなどの塗布体が必須な容器に限定される発明であり、高粘度の液の塗布容器として機能しないことは明白である。
【０００７】
高粘度な化粧量を毛髪に塗布する場合、チューブなどの貯蔵体から容易にたれ落ちないような粘度の液を櫛などに取り塗布するか、又は、マスカラ状の容器でボトルにねじりブラシのマスカラブラシや短い櫛状のマスカラブラシを使用する場合があった。
【０００８】
しかし、前者では櫛に液をのせて毛髪に塗布する動作が煩雑であり、後者ではマスカラブラシタイプではブラシや櫛全体に液が付着してしまい頭皮への液付着を防ぐ機能はない。
【０００９】
例えば、特許文献３には、ボトルに入った液にマスカラタイプの塗布具を浸して塗布する塗布部分において、そのクシ形状を幅広にしてその内部に「液溜め」を設けることにより、より多くの液を保持して塗布することができる塗布具が提案されている。
【００１０】
しかしながら、この提案された塗布具は、前記の櫛状塗布部を持ったマスカラタイプの容器であり、液はボトルの内部に充填され、櫛全体を液に浸して液を櫛に供給するので櫛先端に液が付き、使用時に頭皮に液が付着する問題がある。
【先行技術文献】
【特許文献】
【００１１】
【特許文献１】特開２００５−３４２３１２号公報
【特許文献２】再表２００７−６６７６４号公報
【特許文献３】特開２０１０−９４１８６号公報
【発明の概要】
【発明が解決しようとする課題】
【００１２】
本発明は、斯かる実情に鑑み、高粘度の液体であっても当該液体を毛髪等に頭皮を汚すことなく、容易に塗布可能な毛髪用塗布具を提供することを目的とする。
【課題を解決するための手段】
【００１３】
本発明は、塗布液の直線状の送出路と、該送出路先端に開口する吐出口と、該吐出口周囲に該送出路と略直交する平面部と、該吐出口から更に先方へ伸びる複数本の櫛歯からなる塗布部と、を備え、
該塗布液は、粘度が、コーンプレート型粘度計（ＥＨＤ）標準コーンローター（１°３４′×Ｒ２４）２５℃１０ｒｐｍ（２０ｓ−１）の測定において、２０００〜２００００ｍＰａ・ｓの範囲の塗布液又はフォームであり、
該複数本の櫛歯は、該送出路より該吐出口に至る線と、平行又は遠ざかる線に沿って延び、
更に内側へ屈曲し該平面部と対向しており、該粘度が２０００〜２００００ｍＰａ・ｓの範囲の塗布液又はフォームが当該櫛歯の屈曲した内側に直接保持されることを特徴とする毛髪用塗布具である。
【００１４】
本発明において、前記櫛歯は更に前記吐出口方向へ屈曲していることが好適である。
【００１５】
本発明において、前記櫛歯は更に吐出口近傍まで伸びループしていることが好適である。
【００１６】
本発明において、前記櫛歯は、前記ループの外周に突起物を備え、当該突起物は、前方から見た前記ループの長さ内に形成されていることが好適である。
【００１７】
本発明において、前記櫛歯が２本以上あることが好適である。更に好適には、櫛歯が３本以上である。
【００１８】
本発明において、前記櫛歯には、前記櫛歯の幅をはみ出さない突起物を備えることが好適である。
【００１９】
なお、本発明と特許文献１〜３が異なることは、ガイド部の形状が相違することから明らかである。
【００２０】
特許文献１では、櫛はストレートで曲がっていないし、塗布部の上で櫛が繋がってアーチ状になっていない。
【００２１】
特許文献２では櫛は湾曲しており、別の例では櫛は塗布体上で連結しているが、「棒状部分の先端部分には他の部分より大きい径の球状部分が形成されている」と記載されており、櫛(棒状部分)より径が小さい球状ではない突起は含まれないと明記されている。
【００２２】
特許文献３では、ボトルの内部に充填された液に櫛全体に浸して供給する塗布具であるので、塗布液を櫛歯に供給する本発明と全く異なる。
【００２３】
したがって、特許文献１−３は構成要件が本発明と異なっていて全く別の塗布具といえる。
【発明の効果】
【００２４】
本発明の毛髪用塗布具によれば、塗布液の送出路と、該送出路先端に開口する吐出口と、該吐出口から更に先方へ伸びる少なくとも１本の櫛歯を持つ塗布部と、を備え、該櫛歯は、該送出路より該吐出口に至る線と、平行又は遠ざかる線に沿って延び、更に内側へ屈曲した構成から、容器から高粘度の塗布液を直接櫛歯の屈曲した内側に液を供給し、当該櫛歯の屈曲した内側に塗布液を保持できるので、塗布液の頭皮への付着を防ぎつつ、櫛歯で掻き分けられた毛髪が塗布液に直接触れて塗布可能な、使いやすい機構の塗布具を提供である。
【００２５】
必要であれば、内溶液の粘度を定量的に限定することは可能である。
【００２６】
また、複数の櫛歯を設け、その間に塗布液を保留し毛髪に効率よく塗布することができる。
【図面の簡単な説明】
【００２７】
【図１】本発明の第１の実施形態に係る毛髪用塗布具の説明図である。
【図２】本発明の第２の実施形態に係る毛髪用塗布具の説明図である。
【図３】本発明の第３の実施形態に係る毛髪用塗布具の説明図である。
【図４】本発明の第４の実施形態に係る毛髪用塗布具の説明図である。
【図５】本発明の第５の実施形態に係る毛髪用塗布具の説明図である。
【図６】本発明の第６の実施形態に係る毛髪用塗布具の説明図である。
【図７】本発明の第７の実施形態に係る毛髪用塗布具の説明図で、（ａ）が斜視図、（ｂ）が櫛歯の曲がり軸方向から正面図、（ｃ）が櫛歯の曲がり方向の沿う正面図である。
【図８】本発明の第８の実施形態に係る毛髪用塗布具の説明図である。
【図９】本発明の第９の実施形態に係る毛髪用塗布具の説明図である。
【発明を実施するための形態】
【００２８】
以下、本発明の実施形態について、添付図面を参照して説明する。
【００２９】
図１は、本発明の第１実施形態に係る毛髪用塗布具の説明図である。
【００３０】
図１に示す、塗布具は、やや先細くなった筒状の塗布部本体１４ａ内に形成された塗布液の送出路１０と、該送出路１０の先端に開口する吐出口１０ａと、該吐出口１０ａから更に先方へ伸びる４本（２本以上の例）の櫛歯１２を塗布部本体１４ａに固定した塗布部１４とを備える毛髪用塗布具である。
【００３１】
該櫛歯１２は、該送出路１０より該吐出口１０ａに至る基準線（符号「Ｃ」で示す）と、平行又は遠ざかる線（符号「Ｌ１」で示す）に沿って前記塗布部本体１４ａから延び、更に内側（前記基準線Ｃ側）へほぼ直角に屈曲しているものである。４本の櫛歯１２は、曲がり部１２ａから先の先端部１２ｂが曲がってほぼ熊手形状を呈している。
【００３２】
なお、上記塗布具は、塗布液を収容する容器（図示省略）に装着して使用するものである。塗布具の塗布部は金属製または樹脂製のもの特にＰＰ、ＰＥ、ＰＢＴ、ＰＯＭ、テフロン（登録商標）が好適である。
【００３３】
また、容器には、嵌着、接着、溶着、螺合等固定構造はいずれでもよい。また、図示しない容器は、繰り出し構造や弾性変形構造で内容物の塗布液を塗布具に送りだすものが好適である。
【００３４】
〔塗布液〕：化粧料とする塗布液は、粘度が、コーンプレート型粘度計（ＥＨＤ）標準コーンローター（１°３４′×Ｒ２４）２５℃１０ｒｐｍ（２０ｓ−１）の測定において、２０００〜２００００ｍＰａ・ｓの範囲の塗布液又はフォームである。
【００３５】
〔ヘアチョーク処方〕
フェノキシエタノール                                          ０．４３重量％
ダーマクリルＡＱＦ（アクリル酸アルキル共重合体エマルジョン）  ３．４０重量％
アリストフレックスＨＭＢ（高分子乳化剤）                      １．００重量％
ルージュフランベ（赤色のマイカ）                            １５．００重量％
水                                                          ８０．１７重量％
粘度：１３９７０ｍＰａ・ｓ
【００３６】
上記塗布具において、吐出口１０ａから押し出された高粘度のヘアチョークの塗布液は、櫛歯１２の「内側」に留め置かれ（櫛歯１２間及び櫛歯１２の曲がった曲がり部１２ａ内側に塗布液をため）、毛髪を櫛歯１２間に通すことによって、ヘアチョークの液を毛髪へ容易に塗布することができる。
【００３７】
本発明の第１実施形態に限定されず、種々に変形実施できる。
【００３８】
〔第２実施形態の毛髪用塗布具〕
図２は本発明の第２実施形態に係る毛髪用塗布具である。第１実施形態に係る塗布部１４と同じく４本の櫛歯１２が先端部の曲がったほぼ熊手形状を呈しており、櫛歯１２の根本が矩形状に纏まった壁構造１６から延設する構造を呈している。
【００３９】
第２実施形態に係る塗布具は、第１実施形態の塗布具に比較して櫛歯１２の長さを短くでき、根本の壁構造１６で強度が高く櫛歯１２が破損しにくい。また、吐出口１０ａの開口に壁構造１６の壁面が隣接していて、塗布液が櫛歯１２に送り出す際に壁構造１６の表面である程度塗布液を保留してから櫛歯１２に誘導するガイドとなる。その他の構成及び作用効果は第１実施形態と同様であり、同様部分に同一符号を付する。
【００４０】
〔第３実施形態の毛髪用塗布具〕
図３は本発明の第３実施形態に係る毛髪用塗布具である。第１実施形態に係る塗布部１４と同じく４本の櫛歯１２が先端部の曲がったほぼ熊手形状を呈しており、櫛歯１２の先端部１２ｂが第１実施形態よりも更に前記吐出口１０ａ方向へ屈曲している構造（送出路１０から吐出口１０ａに至る基準線Ｃに対して２０〜８０°程度曲がった方向の線（符号「Ｌ２」で示す）に沿う）を呈している。
【００４１】
第３実施形態に係る塗布具は、第１実施形態、第２実施形態の塗布具に比較して櫛歯１２の先端部１２ｂの曲がりが強く、髪の毛の梳きやすい、髪の間に塗布液を十分に送り込みやすい。その他の構成及び作用効果は図１の第１実施形態と同様であり、同様部分に同一符号を付する。
【００４２】
〔第４実施形態の毛髪用塗布具〕
図４は本発明の第４実施形態に係る毛髪用塗布具である。第３実施形態に係る塗布部１４と同じく４本の櫛歯１２が先端部１２ｂの曲がったほぼ熊手形状を呈した構造（前記基準線Ｃに対して２０〜８０°程度曲がった方向の線Ｌ２に沿う）、それと共に、櫛歯１２の根本が矩形状に纏まった壁構造１６から延設する構造を呈している。
【００４３】
第４実施形態に係る塗布具は、第３実施形態の塗布具に比較して櫛歯１２の長さを短くでき、根本の壁構造１６で強度が高く櫛歯１２が破損しにくい。また、吐出口１０ａの開口に壁構造１６の壁面が隣接していて、塗布液が櫛歯１２に送り出す際に壁構造１６の表面である程度塗布液を保留してから櫛歯１２に誘導するガイドとなる。その他の構成及び作用効果は第３実施形態と同様であり、同様部分に同一符号を付する。
【００４４】
〔第５実施形態の毛髪用塗布具〕
図５は本発明の第５実施形態に係る毛髪用塗布具である。第１実施形態に係る塗布部１４は前記塗布部本体１４ａから延びて形成された４本の櫛歯１２の先端部が弧状に曲がり更に吐出口１０ａまで延びて再び前記塗布部本体１４ａに固着する閉じたループ１２ｃ形状を呈している。
【００４５】
第５実施形態に係る塗布具は、第１〜４実施形態の曲がりのある櫛歯１２の塗布部１４に比較して櫛歯１２がループ１２ｃとなっているので強度が高く櫛歯１２が破損しにくい。また、吐出口１０ａから吐出される塗布液がループ１２ｃの内側に溜めやすいので、塗布液の漏れが少なく、かつ地肌への刺激が少なくして、毛髪になめらかに塗布液を塗布できる。その他の構成及び作用効果は第１実施形態と同様であり、同様部分に同一符号を付する。
【００４６】
〔第６実施形態の毛髪用塗布具〕
図６は本発明の第６実施形態に係る毛髪用塗布具である。第６実施形態に係る塗布部１４は第５実施形態と同じく４本の櫛歯１２の先端部が弧状に曲がり更に吐出口１０ａまで延びて閉じたループ１２ｃ形状を呈している。そして、途中から枝分かれして突起部１８が各櫛歯１２に突出形成されている。突起部１８は櫛歯１２の配列方向の幅よりも同様又は狭く形成されている。
【００４７】
第６実施形態に係る塗布具は、第５実施形態の櫛歯１２と同様にループ１２ｃとなっているので強度が高く櫛歯１２が破損しにくく、吐出口１０ａから吐出される塗布液がループ１２ｃの内側に溜めやすいことのほか、突起部１８によって、髪を梳きやすく、かき分けて塗布液を効率よく塗りやすい。突起部１８は櫛歯１２の配列方向の幅よりも同様又は狭く形成されているので、ループ１２ｃと協働して髪の毛を梳きやすく、かつ、塗りやい構造である。その他の構成及び作用効果は第５実施形態と同様であり、図５と同様部分に同一符号を付する。
【００４８】
〔第７実施形態の毛髪用塗布具〕
図７（ａ）〜（ｃ）は、本発明の第７実施形態に係る毛髪用塗布具である。第７実施形態に係る塗布部１４は、第５実施形態と同じく、４本の櫛歯１２の先端部が弧状に曲がり更に吐出口１０ａまで延びて閉じたループ１２ｃ形状を呈している。そして、ループ１２ｃの先端部には、棒状の枝部２０が各櫛歯１２の弧の曲がり方向（送出路１０から吐出口１０ａに至る基準線Ｃに対してほぼ９０°程度の線（符号「Ｌ３」で示す。））に突出形成されている。前記櫛歯１２は、前記ループ１２ｃの外周に棒状の枝部（突起物）２０を備え、当該棒状の枝部２０は、前方から見た前記ループ１２ｃの長さ内に形成されている。当該棒状の枝部２０は櫛歯１２の配列方向の幅よりも同様又は狭く形成されている。
【００４９】
第７実施形態に係る塗布具は、第５実施形態の櫛歯１２と同様にループ１２ｃとなっているので強度が高く櫛歯１２が破損しにくく、吐出口１０ａから吐出される塗布液がループ１２ｃの内側に溜めやすいことのほか、棒状の枝部２０によって、髪を梳きやすく、かき分けて塗布液を効率よく塗りやすい。棒状の枝部２０は両側に延びているのでループ１２ｃの両向きで使用できる。また、棒状の枝部２０は、櫛歯１２の配列方向の幅よりも同様又は狭く形成されているので、ループ１２ｃと協働して髪の毛を梳きやすく、かつ、塗りやい構造である。その他の構成及び作用効果は第５実施形態と同様であり、同様部分に同一符号を付する。
【００５０】
〔第８実施形態の毛髪用塗布具〕
図８は本発明の第８実施形態に係る毛髪用塗布具である。第８実施形態に係る塗布部１４は、第５実施形態と同じく、４本の櫛歯１２の先端部が弧状に曲がり更に吐出口１０ａまで延びて閉じたループ１２ｃ形状を呈している。そして、ループ１２ｃの先端部には、第１の突起部２２が各櫛歯１２の弧の先端に吐出方向（送出路１０から吐出口１０ａに至る基準線Ｃに沿う方向）に突出形成されている。前記櫛歯１２は、前記ループ１２ｃの外周に第１の突起部２２を備え、当該突起物２２は、前方から見た前記ループ１２ｃの長さ内に形成されている。
【００５１】
第１の突起部２２によって、塗る際に頭皮に触る程度に当てるとループ１２ｃを頭皮に対して浮かして髪の毛を梳くことができ頭皮に塗布液が塗れるのを防止することができる。その他の構成及び作用効果は第７実施形態と同様であり、同様部分に同一符号を付する。
【００５２】
〔第９実施形態の毛髪用塗布具〕
図９は、本発明の第９実施形態に係る毛髪用塗布具である。第８実施形態に係る塗布部１４は、第５実施形態と同じく、４本の櫛歯１２の先端部が弧状に曲がり更に吐出口１０ａまで延びて閉じたループ１２ｃ形状を呈している。そして、ループ１２ｃの先端部には、第２の突起部２４が各櫛歯１２の弧の先端に吐出方向（送出路１０から吐出口１０ａに至る基準線Ｃに沿う方向）に対して９０°方向（符号「Ｌ４」で示す）に突出形成されている。前記櫛歯１２は、前記ループ１２ｃの外周に第２の突起物２４を備え、当該突起物２４は、前方から見た前記ループ１２ｃの長さ内に形成されている。第２の突起部２４は、ちょうど図７の第７実施形態の塗布部１４の棒状の枝部２０の半分に構成されたものである。
【００５３】
第２の突起部２４によって、塗る際に横向きにして塗布部１４を頭皮に触る程度に当てるとループ１２ｃを頭皮に対して浮かして髪の毛を梳くことができ頭皮に塗布液が塗れるのを防止することができる。その他の構成及び作用効果は第８実施形態と同様であり、同様部分に同一符号を付する。
【００５４】
なお、本発明は、上記第１実施形態〜第９実施形態の塗布具に限定されず,本発明は範囲内で種々に変形実施できる。上記第１実施形態〜第９実施形態では、４箇所の櫛歯１２を有するが、本発明において、前記櫛歯が２本〜３本であっても、５本以上であってもよい。
【産業上の利用可能性】
【００５５】
本発明の塗布具は、毛髪用化粧料を容易に塗布するようにできる毛髪用塗布具に利用することができる。
【符号の説明】
【００５６】
１０  送出路
１０ａ  吐出口
１２  櫛歯
１２ａ  曲がり部
１２ｂ  先端部
１２ｃ  ループ
１４  塗布部
１４ａ  塗布部本体
１６  壁構造
１８  突起部
２０  棒状の枝部
２２  第１の突起部
２４  第２の突起部
Ｃ  基準線
【図１】
0006664906.tif 000002
【図２】
0006664906.tif 000003
【図３】
0006664906.tif 000004
【図４】
0006664906.tif 000005
【図５】
0006664906.tif 000006
【図６】
0006664906.tif 000007
【図７】
0006664906.tif 000008
【図８】
0006664906.tif 000009
【図９】
0006664906.tif 000010